(57)【特許請求の範囲】
【請求項１】
電源スイッチに接続されており、前記電源スイッチがオンされた場合に複数の発光素子に電流を供給する直流電源回路と、
前記複数の発光素子のうち、前記電流が供給される発光素子を切り替えるためのスイッチング回路と、
前記直流電源回路から供給される電流又は電圧を検出する検出回路と、
前記直流電源回路の出力端子に接続されており、前記発光素子に供給される前記電流を平滑化するためのコンデンサと、
前記電源スイッチがオフされた際に、前記コンデンサの残留電荷を用いて動作し、前記電源スイッチが一時的にオフされることで、前記検出回路で検出される前記電流又は電圧が前記電源スイッチがオンの場合の値より低くなった場合に、前記スイッチング回路を制御することで、前記複数の発光素子のうち、前記電流が供給される発光素子を切り替える制御回路と、
前記電源スイッチがオンされた状態では、基準電圧より高く、かつ、前記電源スイッチがオフされた状態では、前記コンデンサの第１電圧の減少に伴い減少する第２電圧が、前記基準電圧より低くなった場合に、前記制御回路をリセットするリセット回路とを備え、
前記制御回路は、当該制御回路がリセット状態である場合、前記検出回路の検出結果に関わらず、前記電流が供給される発光素子として、前記複数の発光素子のうち予め定められた１以上の発光素子を選択するように前記スイッチング回路を制御する
照明装置。
【請求項２】
前記リセット回路は、前記第１電圧を用いて前記基準電圧を生成する定電圧生成素子を含む
請求項１記載の照明装置。
【請求項３】
前記リセット回路は、前記第１電圧を抵抗分圧することで前記第２電圧を生成する分圧抵抗を含む
請求項１又は２記載の照明装置。
【請求項４】
前記照明装置は、さらに、
前記直流電源回路の出力電圧を用いて前記制御回路の電源電圧を生成する制御電源回路を備え、
前記第２電圧は前記電源電圧である
請求項１〜３のいずれか１項に記載の照明装置。
【請求項５】
前記リセット回路は、
ベースに前記第２電圧が印加され、エミッタに前記基準電圧が印加されるバイポーラトランジスタを備え、
前記バイポーラトランジスタのコレクタの電圧に基づき、前記制御回路がリセットされる
請求項１〜４のいずれか１項に記載の照明装置。
【請求項６】
前記リセット回路は、
前記第２電圧と前記基準電圧とを比較する比較器を備え、
前記比較器の出力信号に基づき、前記制御回路がリセットされる
請求項１〜４のいずれか１項に記載の照明装置。
【請求項７】
前記制御回路は、フリップフロップを用いた順序回路を有し、
前記リセット回路は、前記フリップフロップをリセットする
請求項１〜６のいずれか１項に記載の照明装置。
【請求項８】
請求項１〜７のいずれか１項に記載の照明装置と、
前記照明装置から電流が供給される前記複数の発光素子とを備える
照明器具。
【発明の詳細な説明】
【技術分野】
【０００１】
本発明は、照明装置及び照明器具に関し、特に、複数の発光素子に電流を供給する照明装置に関する。
【背景技術】
【０００２】
例えば、壁スイッチなどの電源スイッチを連続的にオンからオフ、オンと切り替えることで、発光させる発光素子を切り替える技術が知られている（例えば、特許文献１参照）。
【先行技術文献】
【特許文献】
【０００３】
【特許文献１】特許第５４２０１０６号
【発明の概要】
【発明が解決しようとする課題】
【０００４】
ここで、上記動作を実現するためには、発光素子の切り替えを制御する制御部は、電源スイッチが一時的にオフされた状態においても動作する必要がある。これに対して、特許文献１の技術では、当該制御部（マイクロコンピュータ）に対して、発光素子に電力を供給する直流電源回路と独立した専用のマイコン電源が設けられている。しかしながら、この場合、コストが増加する等の課題が発生する。
【０００５】
一方で、直流電源回路からの電力を用いて制御部を動作させることも考えられる。しかしながら、この場合には、電源スイッチがオフされた際に制御部に供給される電力も遮断されるため動作の安定性が低下するという課題がある。
【０００６】
そこで、本発明は、動作の安定性を向上できる照明装置又は照明器具を提供することを目的とする。
【課題を解決するための手段】
【０００７】
本発明の一態様に係る照明装置は、電源スイッチに接続されており、前記電源スイッチがオンされた場合に複数の発光素子に電流を供給する直流電源回路と、前記複数の発光素子のうち、前記電流が供給される発光素子を切り替えるためのスイッチング回路と、前記直流電源回路から供給される電流又は電圧を検出する検出回路と、前記直流電源回路の出力端子に接続されており、前記発光素子に供給される前記電流を平滑化するためのコンデンサと、前記電源スイッチがオフされた際に、前記コンデンサの残留電荷を用いて動作し、前記電源スイッチが一時的にオフされることで、前記検出回路で検出される前記電流又は電圧が前記電源スイッチがオンの場合の値より低くなった場合に、前記スイッチング回路を制御することで、前記複数の発光素子のうち、前記電流が供給される発光素子を切り替える制御回路と、前記電源スイッチがオンされた状態では、基準電圧より高く、かつ、前記電源スイッチがオフされた状態では、前記コンデンサの第１電圧の減少に伴い減少する第２電圧が、前記基準電圧より低くなった場合に、前記制御回路をリセットするリセット回路とを備え、前記制御回路は、当該制御回路がリセット状態である場合、前記検出回路の検出結果に関わらず、前記電流が供給される発光素子として、前記複数の発光素子のうち予め定められた１以上の発光素子を選択するように前記スイッチング回路を制御する。
【発明の効果】
【０００８】
本発明は、動作の安定性を向上できる照明装置又は照明器具を提供できる。
【図面の簡単な説明】
【０００９】
【図１】図１は、実施の形態１に係る照明器具の構成例を示す図である。
【図２】図２は、実施の形態１に係る照明器具の動作を示すタイミングチャートである。
【図３】図３は、実施の形態１の変形例１に係る照明器具の構成例を示す図である。
【図４】図４は、実施の形態１の変形例２に係る照明器具の構成例を示す図である。
【図５】図５は、実施の形態２に係る照明器具の構成例を示す図である。
【図６】図６は、実施の形態２に係るリセット回路の電源オン時の動作を示す図である。
【図７】図７は、実施の形態２に係るリセット回路の電源オフ時の動作を示す図である。
【図８】図８は、実施の形態２の変形例１に係る照明器具の構成例を示す図である。
【図９】図９は、実施の形態２の変形例２に係る照明器具の構成例を示す図である。
【図１０】図１０は、実施の形態２の変形例２に係るリセット回路の電源オン時の動作を示す図である。
【図１１】図１１は、実施の形態２の変形例２に係るリセット回路の電源オフ時の動作を示す図である。
【図１２】図１２は、実施の形態に係る照明器具の外観を示す模式図である。
【発明を実施するための形態】
【００１０】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１１】
なお、各図は、模式図であり、必ずしも厳密に図示されたものではない。また、各図において、実質的に同一の構成に対しては同一の符号を付しており、重複する説明は省略又は簡略化する。
【００１２】
（実施の形態１）
本実施の形態では、本発明に係る照明器具及び照明装置の基本的な構成を説明し、後述する実施の形態２において、本発明の特徴的なリセット回路を有する照明器具及び照明装置について説明する。
【００１３】
［照明器具の構成］
まず、本実施の形態に係る照明器具１００の構成を説明する。図１は、本実施の形態に係る照明器具１００の構成示す図である。図１に示すように、照明器具１００は、照明装置１０１と、複数の発光素子１０２とを備える。
【００１４】
照明装置１０１は、商用電源１０３からの電力を用いて複数の発光素子１０２を点灯する。また、照明装置１０１と商用電源１０３の間には、壁スイッチ等の電源スイッチ１０４が接続されている。つまり、電源スイッチ１０４のオン及びオフに基づき、商用電源１０３から照明装置１０１への電力供給のオン及びオフが切り替えられることで、発光素子１０２への電力供給のオン及びオフが切り替えられる。
【００１５】
この照明装置１０１は、直流電源回路１１１と、スイッチング回路１１２と、検出回路１１３と、制御回路１１４と、制御電源回路１１５と、コンデンサＣ１とを含む。
【００１６】
直流電源回路１１１は、商用電源１０３から供給される交流電力を直流電力に変換し、得られた直流電力を用いて、一定電流を生成する回路であり、例えば、ＡＣ／ＤＣコンバータ及びＤＣ／ＤＣコンバータを含む。また、直流電源回路１１１で生成された一定電流は、複数の発光素子１０２に供給される。
【００１７】
コンデンサＣ１は、直流電源回路１１１の出力端子に接続されており、直流電源回路１１１により生成された一定電流を平滑化するために用いられる容量素子である。なお、図１では、コンデンサＣ１は、直流電源回路１１１の外に設けられているが、直流電源回路１１１に含まれてもよい。
【００１８】
発光素子１０２は、固体発光素子であり、例えば、ＬＥＤ（Ｌｉｇｈｔ  Ｅｍｉｔｔｉｎｇ  Ｄｉｏｄｅ）である。また、複数の発光素子１０２は、発光グループＬＥＤ１及びＬＥＤ２のいずれかに属する。例えば、発光グループＬＥＤ１に属する発光素子１０２と、発光グループＬＥＤ２に属する発光素子１０２とは発光色（色温度）が異なる。また、各発光グループに属する複数の発光素子１０２は直列に接続される。
【００１９】
スイッチング回路１１２は、発光グループＬＥＤ１及びＬＥＤ２のうち、電流が供給される発光グループを切り替える。つまり、スイッチング回路１１２は、複数の発光素子１０２のうち、電流が供給される発光素子１０２を切り替える。このスイッチング回路１１２は、スイッチング素子Ｑ１及びＱ２と、抵抗Ｒ１〜Ｒ４とを含む。
【００２０】
スイッチング素子Ｑ１及びＱ２は、発光グループＬＥＤ１及びＬＥＤ２のうち、電流が供給される発光グループを切り替えるためのスイッチング素子であり、例えばＭＯＳＦＥＴである。スイッチング素子Ｑ１は、発光グループＬＥＤ１と直列に接続され、スイッチング素子Ｑ２は、発光グループＬＥＤ２と直列に接続される。なお、抵抗Ｒ１及びＲ２は、瞬時的な高電流を抑制するための抵抗であり、抵抗Ｒ３及びＲ４は、浮遊容量対策としてスイッチング素子Ｑ１及びＱ２のゲート電圧をＧＮＤレベルに固定するための抵抗である。
【００２１】
検出回路１１３は、直流電源回路１１１から供給される電流Ｉ０を検出するための検出回路である。言い換えると、検出回路１１３は、複数の発光素子１０２に流れる電流Ｉ０を検出する。この検出回路１１３は、抵抗Ｒ５及びＲ６と、コンデンサＣ２とを備える。検出回路１１３は、発光素子１０２に流れる電流に相当する抵抗Ｒ５に流れる検出電流Ｉ０を検出電圧Ｖ１に変換する。なお、抵抗Ｒ６及びコンデンサＣ２は、ローパスフィルタとして機能し、短い時間の瞬時的な停電や外来ノイズに対して予期せぬ切替動作が生じることを防ぐ。
【００２２】
制御回路１１４は、電源スイッチ１０４が一時的にオフされることで、検出回路１１３で検出される電流Ｉ０が電源スイッチ１０４がオンの場合の値（例えば予め定められた基準値）より低くなった場合に、スイッチング回路１１２を制御することで、複数の発光素子１０２のうち、電流が供給される発光素子１０２を切り替える。具体的には、制御回路１１４は、複数の発光グループＬＥＤ１及びＬＥＤ２のうち、電流が供給される発光グループを切り替える。この制御回路１１４は、比較回路１１６と、順序回路１１７とを含む。
【００２３】
比較回路１１６は、検出電圧Ｖ１と、予め定められた基準電圧Ｖｒｅｆとを比較し、比較結果を示す比較結果信号Ｓ１を出力する。例えば、比較回路１１６は、定常時（検出電流Ｉ０が基準値より高い場合）には、ローレベルの信号Ｓ１を出力し、検出電流Ｉ０が基準値より低い場合には、ハイレベルの信号Ｓ１を出力する。この比較回路１１６は、比較器ＣＯＭ１を含む。比較器ＣＯＭ１は、検出電圧Ｖ１と基準電圧Ｖｒｅｆとを比較し、比較結果を示す信号Ｓ１を出力する。なお、抵抗Ｒ７により比較回路１１６のヒステリシス特性が実現される。
【００２４】
順序回路１１７は、比較結果信号Ｓ１の変化に基づき、出力信号Ｓ２及びＳ３の論理値を反転する。この順序回路１１７は、フリップフロップＦＦ１を備える。具体的には、順序回路１１７は、比較結果信号Ｓ１の立ち上がりエッジで出力信号Ｓ２及びＳ３の論理値を反転する。なお、出力信号Ｓ２は、出力信号Ｓ３の反転信号である。この出力信号Ｓ２はスイッチング素子Ｑ１のゲート端子に供給され、出力信号Ｓ３は、スイッチング素子Ｑ２のゲート端子に供給される。
【００２５】
制御電源回路１１５は、電圧Ｖ０から、スイッチング回路１１２、検出回路１１３及び制御回路１１４の電源電圧として用いられる電源電圧ＶＣＣを生成するとともに、基準電圧Ｖｒｅｆを生成する。この制御電源回路１１５は、ダイオードＤ１と、ツェナーダイオードＺＤ１と、抵抗Ｒ８〜Ｒ１０と、コンデンサＣ３及びＣ４とを備える。制御電源回路１１５は、ツェナーダイオードＺＤ１の降伏電圧に相当する電圧を電源電圧ＶＣＣとして出力する。また、抵抗Ｒ８と抵抗Ｒ９とで電源電圧ＶＣＣが分圧されることにより基準電圧Ｖｒｅｆが生成される。
【００２６】
［照明器具の動作］
以下、本実施の形態に係る照明器具１００の動作を説明する。本実施の形態に係る照明器具１００では、ユーザが電源スイッチ１０４を、オン状態から、オフ、オンと短時間で切り替えることで、点灯する発光グループが切り替わる。つまり、ユーザは、電源スイッチ１０４の２回の操作により照明器具１００の発光色を切り替えることができる。
【００２７】
図２は、照明器具１００の動作を示すタイミングチャートである。この例では、時刻ｔ１より前の状態において、信号Ｓ２がハイレベルであり、信号Ｓ３がローレベルである。これにより、発光グループＬＥＤ１が点灯しており、発光グループＬＥＤ２が消灯している。この状態において、電源スイッチ１０４が時刻ｔ１においてオフされ、その後時刻ｔ３でオンされる。
【００２８】
時刻ｔ１において電源スイッチ１０４がオフされると、それに伴い、直流電源回路１１１の出力が停止し、コンデンサＣ１の電圧Ｖ０が徐々に減少する。この出力電圧Ｖ０の減少に伴い、発光素子１０２に流れる電流Ｉ０も減少し、これにより検出電圧Ｖ１が減少する。なお、この段階では、出力電圧Ｖ０の減少が軽微であるので電源電圧ＶＣＣは減少しない。よって、制御回路１１４は、通常通り動作する。つまり、制御回路１１４は、電源スイッチ１０４がオフされた際に、コンデンサＣ１及びＣ３の残留電荷を用いて動作する。
【００２９】
時刻ｔ２において検出電圧Ｖ１が基準電圧Ｖｒｅｆより低くなると、信号Ｓ１がローレベルからハイレベルに変化する。これにより、信号Ｓ２がハイレベルからローレベルに、信号Ｓ３がローレベルからハイレベルにそれぞれ変化することで、電流が供給される発光グループが発光グループＬＥＤ１からＬＥＤ２に切り替えられる。
【００３０】
また、時刻ｔ３において電源スイッチ１０４がオンされると、それに伴い、直流電源回路１１１が定電流出力を開始し、電圧Ｖ０が上昇する。これにより発光素子１０２に流れる電流Ｉ０も増加し、検出電圧Ｖ１も増加する。
【００３１】
時刻ｔ４において検出電圧Ｖ１が基準電圧Ｖｒｅｆより高くなると、信号Ｓ１がハイレベルからローレベルに変化するが、フリップフロップＦＦ１は状態を保持し、出力信号Ｓ２及びＳ３は変化しない。
【００３２】
このように、ユーザが電源スイッチ１０４を、オン状態から、オフ、オンと短時間で切り替えることで、点灯する発光グループが切り替わる。
【００３３】
時刻ｔ５〜ｔ６においても同様の動作が行われ、電流が供給される発光グループが発光グループＬＥＤ２からＬＥＤ１に切り替えられる。また、時刻ｔ７〜ｔ８の動作により、電流が供給される発光グループが発光グループＬＥＤ１からＬＥＤ２に切り替えられる。
【００３４】
次に、時刻ｔ９において電源スイッチ１０４がオフされる。この場合、電源スイッチ１０４がオフされているオフ期間が十分に長いため、電圧Ｖ０の低下に伴い、電源電圧ＶＣＣも低下し、制御回路１１４も非動作状態となる。よって、時刻ｔ１０において電源スイッチ１０４がオンされた際には、制御回路１１４がリセットされる。これにより、予め定められた発光グループ（この例では発光グループＬＥＤ１）が点灯する。
【００３５】
このように、電源スイッチ１０４のオフ期間が十分に長い場合には、制御回路１１４がリセットされ、予め定められた発光グループが選択される。これにより、一つの電源スイッチ１０４に対して複数の照明器具１００が接続されている場合において、複数の照明器具１００において選択される発光グループが異なってしまった場合、ユーザは電源スイッチ１０４を一定時間以上オフすることで、複数の照明器具１００において選択される発光グループをそろえることができる。
【００３６】
［変形例１］
図３は、本実施の形態の変形例１に係る照明器具１００Ａの構成例を示す図である。図３に示す照明器具１００Ａでは、発光グループＬＥＤ１に含まれる発光素子１０２の直列数（直列接続されている発光素子１０２の数）が、発光グループＬＥＤ２に含まれる発光素子１０２の直列数より多い。また、スイッチング回路１１２Ａは、発光グループＬＥＤ２と直列に接続されるスイッチング素子Ｑ２のみを含む。つまり、発光グループＬＥＤ１には、スイッチング素子が直列接続されない。
【００３７】
この場合、スイッチング素子Ｑ２がオンする期間では、発光グループＬＥＤ１及びＬＥＤ２のうち、直列数が少ない、つまり順方向電圧が小さい発光グループＬＥＤ２にのみ電流が流れる。一方、スイッチング素子Ｑ２がオフする期間では、発光グループＬＥＤ１にのみ電流が流れる。
【００３８】
ここで、発光グループＬＥＤ１及びＬＥＤ２は発光素子１０２の数が異なるため発光光束（明るさ）が異なる。よって、発光グループＬＥＤ１及びＬＥＤ２の発光色を同じにすることで、段階調光を実現できる。また、発光グループＬＥＤ１及びＬＥＤ２の発光色を異ならせることで、光色切り替え、かつ段階調光を実現できる。
【００３９】
この構成により、図１に示す構成に対してスイッチング素子の数を減らすことができるので低コスト化を実現できる。
【００４０】
［変形例２］
図４は、本実施の形態の変形例２に係る照明器具１００Ｂの構成例を示す図である。図４に示す照明器具１００Ｂでは、発光グループＬＥＤ１と発光グループＬＥＤ２とは直列に接続される。また、スイッチング回路１１２Ｂは、発光グループＬＥＤ２と並列に接続されるスイッチング素子Ｑ２のみを含む。
【００４１】
この場合、スイッチング素子Ｑ２がオフする期間では、発光グループＬＥＤ１及びＬＥＤ２の両方に電流が流れる。一方、スイッチング素子Ｑ２がオンする期間では、発光グループＬＥＤ１にのみ電流が流れる。
【００４２】
よって、発光グループＬＥＤ１及びＬＥＤ２の発光色を同じにすることで、段階調光を実現できる。
【００４３】
（実施の形態２）
本実施の形態では、順序回路を確実にリセットするためのパワーオンリセット回路（またはパワーオンプリセット回路）を備える照明器具について説明する。なお、以下では、図１に示す照明器具１００の変形例について主に説明するが、上記変形例等で述べた照明器具についても同様の変更を適用できる。
【００４４】
［照明器具の構成］
図５は、本実施の形態に係る照明器具１００Ｇの構成例を示す図である。図５に示す照明器具１００Ｇは、制御回路１１４Ｇ内の順序回路１１７Ｇの構成が図１に示す照明器具１００と異なる。また、照明器具１００Ｇは、制御回路１１４Ｇをリセットするためのリセット回路１１８Ｇを備える。
【００４５】
順序回路１１７Ｇは、クリア端子（ＣＬＲバー端子）を有するフリップフロップを含む。順序回路１１７Ｇは、クリア端子がローレベルになった場合、リセットされることで予め定められた論理値の信号Ｓ２及びＳ３を出力する。つまり、制御回路１１４Ｇは、当該制御回路１１４Ｇがリセットされた場合、電流Ｉ０が供給される発光素子１０２として、複数の発光素子１０２のうち予め定められた１以上の発光素子１０２（発光グループ）を選択するようにスイッチング回路１１２を制御する。
【００４６】
リセット回路１１８Ｇは、直流電源回路１１１の出力電圧であり、コンデンサＣ１の電圧である電圧Ｖ０（第１電圧）が予め定められた電圧値より低くなった場合に、制御回路１１４Ｇ（順序回路１１７Ｇ内のフリップフロップ）をリセットする。このリセット回路１１８Ｇは、第１電圧生成回路１１９Ｇと、第２電圧生成回路１２０Ｇと、比較器ＣＯＭ２と、バイポーラトランジスタＱｎとを含む。
【００４７】
第１電圧生成回路１１９Ｇは、電圧Ｖ０から、電圧Ｖ０の変化に比例して変化する電圧ＶＲ（第２電圧）を生成する。具体的には、第１電圧生成回路１１９Ｇは、抵抗Ｒ１１、Ｒ１２及びＲ１３とを含む。抵抗Ｒ１１及びＲ１２と、抵抗Ｒ１３とにより、電圧Ｖ０が抵抗分圧されることで電圧ＶＲが生成される。
【００４８】
第２電圧生成回路１２０Ｇは、電圧Ｖ０の変化に追従しない一定の基準電圧ＶＺを電圧Ｖ０から生成する。具体的には、第２電圧生成回路１２０Ｇは、抵抗Ｒ１４及びＲ１５と、ツェナーダイオードＺＤ２とを含む。第２電圧生成回路１２０Ｇは、定電圧生成素子であるツェナーダイオードＺＤ２の降伏電圧に相当する電圧を基準電圧ＶＺとして出力する。
【００４９】
ここで、電圧ＶＲは、電源スイッチ１０４がオンされている定常時において、基準電圧ＶＺより高く、かつ、電源スイッチ１０４がオフされた状態では、電圧Ｖ０の減少に伴い減少する。
【００５０】
比較器ＣＯＭ２は、電圧ＶＲと基準電圧ＶＺとを比較し、比較結果を示す信号を出力する。バイポーラトランジスタＱｎは、比較器ＣＯＭ２の出力信号を増幅することで信号ＶＣＬＲを生成する。具体的には、比較器ＣＯＭ２の出力信号がハイレベルになるとバイポーラトランジスタＱｎがオン状態になり、クリア端子（信号ＶＣＬＲ）がローレベルになる。
【００５１】
この構成により、リセット回路１１８Ｇは、電圧ＶＲが基準電圧ＶＺより低くなった場合に、制御回路１１４Ｇ（順序回路１１７Ｇ）をリセットする。
【００５２】
［リセット動作］
図６は、電源オン時のリセット回路１１８Ｇの動作を示す図である。図６に示すように、電源オンから時間Ｔｏｎ経過するまでは、信号ＶＣＬＲがローレベルとなることで制御回路１１４Ｇがリセットされる。また、電源オンから時間Ｔｏｎ経過後に信号ＶＣＬＲが立ち上がることでリセット状態が解除される。これにより、電源オン時の低電圧状態において確実に制御回路１１４Ｇをリセットできるので誤動作を抑制できるとともに、予め定められた発光グループを確実に選択できる。例えば、時間Ｔｏｎは、数十ｍ秒〜数秒程度である。
【００５３】
図７は、電源オフ時のリセット回路１１８Ｇの動作を示す図である。図７に示すように、電源オフから時間Ｔｏｆｆ経過後に信号ＶＣＬＲがローレベルになることで制御回路１１４Ｇがリセットされる。これにより、電源オン時において確実に制御回路１１４Ｇをリセットできるので誤動作を抑制できる。また、電源オフから時間Ｔｏｆｆ経過する前に電源がオンされた場合には、リセットは行われず、上述した発光グループの切り替え動作が行われる。例えば、時間Ｔｏｆｆは、数秒〜数十秒程度である。また、コンデンサＣ１の容量値及び回路の消費電力による時定数を調整することにより、時間Ｔｏｆｆを調整することができる。
【００５４】
なお、リセットがかかるまでは、制御回路１１４Ｇが動性している必要がある。つまり、電圧ＶＣＣは、時間Ｔｏｆｆが経過するまでは制御回路１１４Ｇの最小動作電圧より低くならないことが好ましい。よって、基準電圧ＶＺは、制御回路１１４Ｇの最小動作電圧より高い必要がある。
【００５５】
以上の構成により、本実施の形態に係る照明器具１００Ｇでは、電圧Ｖ０に伴い変化する電圧ＶＲと、基準電圧ＶＺとを比較するリセット回路１１８Ｇにより、電源オン時に確実にリセットを行うことができるので、動作の安定性を向上できる。
【００５６】
［変形例１］
図８は、本実施の形態の変形例１に係る照明器具１００Ｈの構成例を示す図である。図８に示す照明器具１００Ｈは、図５に示す照明器具１００Ｇに対して、リセット回路１１８Ｈの構成が異なる。具体的には、リセット回路１１８Ｈは、比較器ＣＯＭ２の代わりにバイポーラトランジスタＱｐを備える。
【００５７】
バイポーラトランジスタＱｐは、ＰＮＰトランジスタであり、ベースには電圧ＶＲが印加され、エミッタには基準電圧ＶＺが印加される。基準電圧ＶＺが電圧ＶＲより小さい場合には、バイポーラトランジスタＱｐはオンする。バイポーラトランジスタＱｎがオンすることで信号ＶＣＬＲがローレベルになり、制御回路１１４Ｇがリセットされる。つまり、バイポーラトランジスタＱｐのコレクタの電圧に基づき、制御回路１１４Ｇがリセットされる。
【００５８】
この構成においても、図５に示す構成と同様の動作を実現できる。また、図５に示す構成に対して、回路構成を簡略化できるので低コスト化を実現できる。
【００５９】
［変形例２］
図９は、本実施の形態の変形例２に係る照明器具１００Ｉの構成例を示す図である。図９に示す照明器具１００Ｉは、図８に示す照明器具１００Ｈに対して、電圧ＶＲの代わりに電圧ＶＣＣが用いられる点が異なる。具体的には、リセット回路１１８Ｉは、第１電圧生成回路１１９Ｇを備えない。また、バイポーラトランジスタＱｐのベースには電圧ＶＣＣが印加される。つまり、第１電圧生成回路１１９Ｇの機能が、制御電源回路１１５内の抵抗Ｒ８、Ｒ９及びＲ１０により実現される。
【００６０】
図１０は、電源オン時のリセット回路１１８Ｉの動作を示す図である。図１１は、電源オフ時のリセット回路１１８Ｉの動作を示す図である。図１０及び図１１に示すように、図６及び図７と同様の動作を実現できる。なお、電圧Ｖ０が高い領域では、ツェナーダイオードＺＤ１の降伏電圧の影響が支配的となり、電圧ＶＣＣは当該降伏電圧に基づく一定電圧となる。一方、電圧Ｖ０が低い領域、つまり、抵抗１０と、抵抗Ｒ８及びＲ９との抵抗分割で得られる電圧が降伏電圧以下となる領域では、当該抵抗の影響が支配的となり、電圧Ｖ０の減少に応じて電圧ＶＣＣが低下する。このように、電圧ＶＣＣは、電圧ＶＲと同様に、電源スイッチ１０４がオンされている定常時において、基準電圧ＶＺより高く、かつ、電源スイッチ１０４がオフされた状態では、電圧Ｖ０の減少に伴い減少する。
【００６１】
なお、上記説明では、リセット時にフリップフロップのクリア端子をローレベルにする例を述べたが、プリセット端子をローレベルにしてもよい。
【００６２】
［照明器具の一例］
図１２は、上記実施の形態で説明した照明器具１００等の外観図である。図１２は、照明器具１００をダウンライトに適用した例を示す。この照明器具１００は、回路ボックス１１、灯体１２及び配線１３を備える。
【００６３】
回路ボックス１１には、上記の照明装置１０１が格納され、灯体１２には、ＬＥＤ（発光素子１０２）が装着される。また、配線１３は、回路ボックス１１と灯体１２とを電気的に接続する配線である。
【００６４】
なお、照明器具１００は、スポットライト等の他の照明器具に適用してもよい。
【００６５】
［その他の変形例］
直流電源回路１１１は、調光動作を行ってもよい。つまり、直流電源回路１１１は、複数種類の定電流値のうちいずれかを選択的に出力してもよい。
【００６６】
各発光グループには１以上の発光素子１０２が含まれればよい。また、発光グループに複数の発光素子１０２が含まれる場合には、これは直列に接続されてもよいし、並列に接続されてもよいし、直列及び並列が組み合わされてもよい。
【００６７】
異なる発光グループが選択された場合に配光が異なってもよい。
【００６８】
検出回路１１３の構成は上記のように抵抗Ｒ５を用いた構成に限らない。例えば、調光動作を行う直流電源回路１１１を用いる場合には、小さい電流を検出するために抵抗Ｒ５の抵抗値を大きくする必要がある。例えば、検出回路１１３は、さらに、抵抗Ｒ５に並列接続されるダイオードを備えてもよい。これにより、小さい電流を検出可能となり、かつ、大きい電流が流れた場合の損失を低減できる。
【００６９】
上記では、直流電源回路１１１の出力電流を検出する構成を説明したが、直流電源回路１１１の出力電圧を検出してもよい。なお、上記のように電流を検出することで電圧を検出する場合に比べてその変化を高精度で検出できる。
【００７０】
制御回路１１４及び検出回路１１３は、マイコン、ＦＰＧＡ（Ｆｉｅｌｄ  Ｐｒｏｇｒａｍｍａｂｌｅ  Ｇａｔｅ  Ａｒｒａｙ）、又はＰＬＤ（Ｐｒｏｇｒａｍｍａｂｌｅ  Ｌｏｇｉｃ  Ｄｅｖｉｃｅ）等により構成されてもよい。
【００７１】
スイッチング素子はＭＯＳＦＥＴに限らない。例えば、スイッチング素子はバイポーラトランジスタ、ＩＧＢＴ（Ｉｎｓｕｌａｔｅｄ  Ｇａｔｅ  Ｂｉｐｏｌａｒ  Ｔｒａｎｓｉｓｔｏｒ）又はリレーなどであってもよい。
【００７２】
また、上記実施の形態に係る照明器具又は照明装置に含まれる処理部の少なくとも一部は典型的には集積回路であるＬＳＩとして実現される。これらは個別に１チップ化されてもよいし、一部又は全てを含むように１チップ化されてもよい。
【００７３】
また、回路図等における回路ブロックの分割は一例であり、複数の回路ブロックを一つの回路ブロックとして実現したり、一つの回路ブロックを複数に分割したり、一部の機能を他の回路ブロックに移してもよい。例えば、図１等において抵抗Ｒ８及びＲ９は、比較回路１１６に含まれてもよい。
【００７４】
また、上記回路図に示す回路構成は、一例であり、本発明は上記回路構成に限定されない。つまり、上記回路構成と同様に、本発明の特徴的な機能を実現できる回路も本発明に含まれる。例えば、上記回路構成と同様の機能を実現できる範囲で、ある素子に対して、直列又は並列に、スイッチング素子（トランジスタ）、抵抗素子、又は容量素子等の素子を接続したものも本発明に含まれる。言い換えると、上記実施の形態における「接続される」とは、２つの端子（ノード）が直接接続される場合に限定されるものではなく、同様の機能が実現できる範囲において、当該２つの端子（ノード）が、素子を介して接続される場合も含む。
【００７５】
また、ハイ／ローにより表される論理レベル又はオン／オフにより表されるスイッチング状態は、本発明を具体的に説明するために例示するものであり、例示された論理レベル又はスイッチング状態の異なる組み合わせにより、同等な結果を得ることも可能である。さらに、上で示した論理回路の構成は本発明を具体的に説明するために例示するものであり、異なる構成の論理回路により同等の入出力関係を実現することも可能である。
【００７６】
以上、一つまたは複数の態様に係る照明装置及び照明器具について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【符号の説明】
【００７７】
１００Ｇ  照明器具
１０１  照明装置
１０２  発光素子
１０４  電源スイッチ
１１１  直流電源回路
１１２  スイッチング回路
１１３  検出回路
１１４Ｇ  制御回路
１１５  制御電源回路
１１７Ｇ  順序回路
１１８Ｇ、１１８Ｈ  リセット回路
Ｃ１  コンデンサ
ＣＯＭ２  比較器
Ｑｐ  バイポーラトランジスタ
Ｒ１１、Ｒ１２、Ｒ１３  抵抗（分圧抵抗）
ＺＮ２  ツェナーダイオード（定電圧生成素子）
【図１】
0006722869.tif 000002
【図２】
0006722869.tif 000003
【図３】
0006722869.tif 000004
【図４】
0006722869.tif 000005
【図５】
0006722869.tif 000006
【図６】
0006722869.tif 000007
【図７】
0006722869.tif 000008
【図８】
0006722869.tif 000009
【図９】
0006722869.tif 000010
【図１０】
0006722869.tif 000011
【図１１】
0006722869.tif 000012
【図１２】
0006722869.tif 000013